(57)【要約】【課題】  キャリッジカバーが閉じていない状態を検出可能な記録装置において、記録装置が大型化する虞を低減させる。【解決手段】  キャリッジカバー１２が閉じていない状態では、所定位置へ向けてキャリッジ１０が復路方向ＸＲへ移動する途中で、外装３０の係止凸部２１によって、キャリッジ１０の主走査方向Ｘへの往復動範囲が制限されることになる。キャリッジカバー１２が閉じた状態では、段差部１２４により形成される空間に外装３０の係止凸部２１が入り込むことが可能になるので、所定位置へ向けてキャリッジ１０が復路方向ＸＲへ移動する途中で、外装３０の係止凸部２１によってキャリッジ１０の主走査方向Ｘへの往復動範囲が制限されることがない。このような構造によって、キャリッジカバー１２の表面１２３と外装３０との間に余分な空間がほとんど生じないようにすることができる。【選択図】  図６
2010241012.tif 000002
【特許請求の範囲】
【請求項１】
所定方向へ往復動可能に支持され、被記録材の記録面にドットを形成する記録ヘッドを搭載したキャリッジを備えた記録装置において、
前記キャリッジは、回動することで開閉可能に支持されたキャリッジカバーを有し、前記キャリッジカバーは、閉じた状態において表面に当該表面より低い段差を形成する段差部が設けられ、
前記キャリッジカバーが閉じた状態で、前記段差部により形成される空間に前記記録装置の外装部品の一部が入り込むことが可能になる、ことを特徴とした記録装置。
【請求項２】
請求項１に記載の記録装置において、被記録材の記録面にドットを形成するためのインクが収容されたインクカートリッジが前記キャリッジの内部に着脱可能に配設され、
前記キャリッジは、前記キャリッジカバーが閉じた状態で、前記インクカートリッジが占有する空間よりも、回動するキャリッジカバーの自由端側に前記段差部が位置する、ことを特徴とした記録装置。
【請求項３】
請求項２に記載の記録装置において、前記キャリッジは、前記キャリッジカバーが閉じた状態で、前記インクカートリッジの前記キャリッジカバーの自由端側の端部より低い位置に前記段差部の底面が位置する、ことを特徴とした記録装置。
【請求項４】
請求項１〜３のいずれか1項に記載の記録装置において、前記段差部により形成される空間に前記外装部品の一部が入り込んだ状態で、前記キャリッジカバーの閉じた状態における表面と前記外装部品の表面とが面一になる、ことを特徴とした記録装置。
【発明の詳細な説明】
【技術分野】
【０００１】
本発明は、所定方向へ往復動可能に支持され、被記録材の記録面にドットを形成する記録ヘッドを搭載したキャリッジを備えた記録装置に関する。
【背景技術】
【０００２】
所定方向へ往復動可能に支持され、被記録材の記録面にドットを形成する記録ヘッドを搭載したキャリッジを備えた記録装置において、キャリッジの内部を開閉可能なキャリッジカバーをキャリッジに設けた記録装置が公知である。そして、このような記録装置において、例えばインクカートリッジがキャリッジ内の所定位置まで挿入されていない場合には、キャリッジカバーとインクカートリッジとが干渉して、キャリッジカバーを閉じることができない構造とした記録装置が公知である（例えば、特許文献１を参照）。
【０００３】
このような記録装置によれば、キャリッジ内の所定位置までインクカートリッジが挿入されていない状態では、キャリッジカバーを閉じることが不可能になるので、インクカートリッジの挿入状態が不完全であることにユーザーが気付くことができる。具体的には、キャリッジカバーが閉じていない状態では、キャリッジの走査時（往復動時）にキャリッジカバーの一部がキャリッジ走査経路周辺の部材に突き当たる。それによって、インクカートリッジの挿入状態が不完全であることをユーザーは認識することができる。例えば、キャリッジカバーが閉じていない状態でキャリッジを走査させた時に、キャリッジカバーの上面に形成された突起部等が記録装置の外装部品等に突き当たる構造が一般的である。
【発明の概要】
【発明が解決しようとする課題】
【０００４】
しかしながら上記の従来構造は、キャリッジカバーが閉じている状態では、キャリッジカバー上面の突起部等が記録装置の外装部品等に突き当たらないようにする必要がある。つまり、キャリッジカバーが閉じた状態にあるときは、キャリッジカバーの上面と記録装置の外装部品との間に、突起部等の分だけ余分な空間を設けなければならない。そのため、当該従来構造の記録装置は、その余分な空間の分だけ全体的に大型化してしまうことになる。
【０００５】
本発明は、このような状況に鑑み成されたものであり、本発明に係る幾つかの態様が解決する課題は、キャリッジカバーが閉じていない状態を検出可能な記録装置において、記録装置が大型化する虞を低減させることにある。
【課題を解決するための手段】
【０００６】
本発明の第１の態様は、所定方向へ往復動可能に支持され、被記録材の記録面にドットを形成する記録ヘッドを搭載したキャリッジを備えた記録装置において、前記キャリッジは、回動することで開閉可能に支持されたキャリッジカバーを有し、前記キャリッジカバーは、閉じた状態において表面に当該表面より低い段差を形成する段差部が設けられ、前記キャリッジカバーが閉じた状態で、前記段差部により形成される空間に前記記録装置の外装部品の一部が入り込むことが可能になる、ことを特徴とした記録装置である。
【０００７】
キャリッジカバーが閉じていない状態では、段差部により形成される空間に記録装置の外装部品の一部が入り込むことができない。そのため、キャリッジカバーが閉じていない状態では、キャリッジの可動範囲において、その記録装置の外装部品の一部にキャリッジカバーが突き当たることになる。つまり、記録装置の外装部品によってキャリッジの往復動範囲が制限されることになる。したがって記録装置は、キャリッジの往復動を正常に行うことができない状態になる。それによって、ユーザー又は記録装置の制御部等は、キャリッジカバーが閉じていない状態であることを認識することができる。
【０００８】
他方、キャリッジカバーが閉じた状態では、段差部により形成される空間に記録装置の外装部品の一部が入り込むことが可能になる。そのため、キャリッジカバーが閉じた状態では、キャリッジの可動範囲において、その記録装置の外装部品の一部にキャリッジカバーが突き当たらない。つまり、記録装置の外装部品によってキャリッジの往復動範囲が制限されることがない。それによって、記録装置はキャリッジの往復動を正常に行うことが可能になる。
【０００９】
そして、キャリッジカバーが閉じた状態で、段差部により形成される空間に記録装置の外装部品の一部が入り込むことが可能になる構造によって、キャリッジカバーの表面と記録装置の外装部品との間に余分な空間がほとんど生じないようにすることができる。したがって、キャリッジカバーが閉じていない状態を検出可能な記録装置を実現しつつ、それによって記録装置が大型化してしまう虞を低減させることができる。
【００１０】
これにより本発明の第１の態様に記載の記録装置によれば、キャリッジカバーが閉じていない状態を検出可能な記録装置において、記録装置が大型化する虞を低減させることができるという作用効果が得られる。
【００１１】
本発明の第２の態様は、前述した第１の態様に記載の記録装置において、被記録材の記録面にドットを形成するためのインクが収容されたインクカートリッジが前記キャリッジの内部に着脱可能に配設され、前記キャリッジは、前記キャリッジカバーが閉じた状態で、前記インクカートリッジが占有する空間よりも、回動するキャリッジカバーの自由端側に前記段差部が位置する、ことを特徴とした記録装置である。
【００１２】
このような特徴によれば、キャリッジの内部空間のうちインクカートリッジが占有する空間より外側の部分の空間を利用して段差部を設けることができる。すなわち、キャリッジの内部空間の空きスペースを有効に利用して段差部を設けることができる。それによって、より大きい段差をもって段差部を設けることが可能になる。したがって、キャリッジカバーが閉じていない状態を検出可能な記録装置において、記録装置が大型化する虞をより低減させることが可能になる。
【００１３】
本発明の第３の態様は、前述した第２の態様に記載の記録装置において、前記キャリッジは、前記キャリッジカバーが閉じた状態で、前記インクカートリッジの前記キャリッジカバーの自由端側の端部より低い位置に前記段差部の底面が位置する、ことを特徴とした記録装置である。
【００１４】
このような特徴によれば、キャリッジカバーの表面と記録装置の外装部品との間に余分な空間が生ずる虞をさらに低減させることができる。したがって、キャリッジカバーが閉じていない状態を検出可能な記録装置において、記録装置が大型化する虞をさらに低減させることが可能になる。
【００１５】
本発明の第４の態様は、前述した第１〜第３の態様のいずれかに記載の記録装置において、前記段差部により形成される空間に前記外装部品の一部が入り込んだ状態で、前記キャリッジカバーの閉じた状態における表面と前記外装部品の表面とが面一になる、ことを特徴とした記録装置である。
【００１６】
このような特徴によれば、キャリッジカバーの表面と外装部品の表面との間に段差がほとんど生じないので、記録装置の内部に無駄な空きスペースが生ずる虞を低減させることができる。したがって、キャリッジカバーが閉じていない状態を検出可能な記録装置において、記録装置が大型化する虞をさらに低減させることが可能になる。
【図面の簡単な説明】
【００１７】
【図１】インクジェットプリンターの斜視図。
【図２】キャリッジの斜視図。
【図３】キャリッジの側断面図。
【図４】キャリッジの一部を拡大図示した側断面図。
【図５】キャリッジカバーが外装部品に突き当たった状態を図示した斜視図。
【図６】外装部品の一部が段差部に入り込んだ状態を図示した斜視図。
【発明を実施するための形態】
【００１８】
以下、本発明の実施の形態を図面に基づいて説明する。
【００１９】
＜インクジェットプリンターの概略構成＞
まず、本発明に係る「記録装置」としてのインクジェットプリンター５０の概略構成について、図１を参照しながら説明する。  
図１は、インクジェットプリンター５０を上面側から観た斜視図である。
【００２０】
インクジェットプリンター５０の外装３０は、インクジェットプリンター５０の外観を構成する筐体であり、複数の外装部品で構成されている。外装３０の前面側には、液晶表示部や操作ボタン等を含む操作部３１が設けられている。給紙カセット３２は、インクジェットプリンター５０の内部に「被記録材」としての記録紙を装填するためのものであり、インクジェットプリンター５０の前方側から挿抜可能に配設されている。また外装３０の前面側には、記録実行後の記録紙が排出される排出口３３が設けられている。排出口３３の近傍には、スライド収納式の排出トレイ３４が配設されている。外装３０の上面側には、スキャナユニット（図示せず）が揺動可能に配設される。
【００２１】
インクジェットプリンター５０の内部には、記録紙を副走査方向Ｙへ搬送する手段として搬送駆動ローラー５１及び複数の搬送従動ローラー５２が配設されている。搬送駆動ローラー５１は、図示していない搬送用モーターの回転駆動力が伝達されて回転する。搬送従動ローラー５２は、従動回転可能に軸支され、図示していないばね等の付勢手段の付勢力で搬送駆動ローラー５１の外周面に当接している。搬送駆動ローラー５１より副走査方向Ｙの下流側には、プラテン５３が配設されている。プラテン５３は、搬送駆動ローラー５１の回転により副走査方向Ｙへ搬送される記録紙を裏面側から摺接支持する。
【００２２】
さらにインクジェットプリンター５０の内部には、キャリッジ１０が主走査方向Ｘへ往復動可能に支持されて配設されている。キャリッジ１０の底部には、ヘッド面がプラテン５３に対向する位置に記録ヘッド（図１には図示せず）が配設されている。キャリッジ１０は、図示していない無端ベルト等の駆動力伝達手段により、図示していないキャリッジ用モーターの駆動力が伝達され、それによって主走査方向Ｘへ往復動する。記録ヘッドのヘッド面には、記録紙の記録面にドットを形成するための多数のインク噴射ノズルが設けられている。記録ヘッドには、キャリッジ１０に着脱可能に配設されるインクカートリッジ（図１には図示せず）からインクが供給される。
【００２３】
給紙カセット３２の記録紙は、図示していない給紙装置により搬送駆動ローラー５１と搬送従動ローラー５２とが当接する部分へ給送される。給送された記録紙は、搬送駆動ローラー５１の回転によりプラテン５３上を副走査方向Ｙへ搬送される動作と、主走査方向Ｘへ往復動する記録ヘッドからインクを噴射されて記録面にドットが形成される動作とが交互に繰り返されることによって記録が実行される。記録実行後の記録紙は、図示していない排出ローラー等で構成される排出装置によって、排出口３３から排出される。記録紙の給送制御や搬送制御、キャリッジ１０の往復動制御、記録ヘッドからのインク噴射制御等は、図示していないマイコン制御回路等で構成された制御装置により実行される。
【００２４】
＜キャリッジの構成＞
つづいて、本発明に係るキャリッジ１０の構成について図２〜図６を参照しながら説明する。
【００２５】
図２は、キャリッジ１０の斜視図である。図３は、キャリッジ１０の側断面図であり、図４は、その一部を拡大図示した側断面図である。
【００２６】
キャリッジ１０は、略箱形状のキャリッジ本体１１とキャリッジカバー１２とで構成される。キャリッジ本体１１は、底部に前記の記録ヘッド１３が配設されており、内部には前記のインクカートリッジ１４が着脱可能に配設されている。キャリッジカバー１２は、キャリッジ本体１１の上部開口を開閉可能に設けられている。より具体的にはキャリッジカバー１２は、回動することで開閉可能に、開閉軸部１２１でキャリッジ本体１１に軸支されている。
【００２７】
閉じた状態のキャリッジカバー１２は、開閉操作部１２２の弾性腕部１２６に設けられた突起部１２７がキャリッジ本体１１の係止孔１１１と係合した状態となり、それによって閉じた状態が係止されて保持される。そして、閉じた状態のキャリッジカバー１２は、開閉操作部１２２を符号Ａで示した解除方向へ押動して弾性腕部１２６を内側へ弾性変形させることにより、キャリッジ本体１１の係止孔１１１と弾性腕部１２６の突起部１２７との係合が解除され、その状態において開方向Ｂへ回動させて開くことが可能になる。
【００２８】
他方、開いた状態のキャリッジカバー１２を閉じるときは、キャリッジカバー１２を閉方向Ｃへ回動させる。そして、弾性腕部１２６の突起部１２７がキャリッジ本体１１の係止孔１１１より上側の内壁面に当接した状態から、さらにキャリッジカバー１２を閉方向Ｃへ押し込めば良い。それによって、弾性腕部１２６が弾性変形しながら突起部１２７がキャリッジ本体１１の係止孔１１１に係合し、キャリッジカバー１２が閉じた状態で係止された状態となる。
【００２９】
キャリッジ１０は、キャリッジ本体１１の内部にあるインクカートリッジ１４がキャリッジ本体１１の所定位置に装着されていない状態（以下、「不完全装着状態」という。）では、キャリッジカバー１２を閉じることができない状態になる。より具体的には、不完全装着状態のインクカートリッジ１４は、所定位置に正しく装着された状態よりも上方位置にある状態となる。したがって、インクカートリッジ１４が不完全装着状態にあるときは、キャリッジカバー１２を閉じる位置まで回動する途中で、当該インクカートリッジ１４の凸部１４１にキャリッジカバー１２の係止片１２５が当接する。それによって、キャリッジカバー１２の閉方向Ｃへの回動が途中で規制される状態となるため、キャリッジカバー１２を閉じることができない状態になる（図４）。
【００３０】
そして、キャリッジカバー１２には、キャリッジカバー１２の表面１２３より低い段差を形成する段差部１２４が設けられている。インクジェットプリンター５０は、キャリッジカバー１２が閉じた状態で、段差部１２４により形成される空間に外装３０の係止凸部２１が入り込むことが可能になる。以下、図５及び図６を参照しながら説明する。
【００３１】
図５及び図６は、インクジェットプリンター５０の一部を拡大図示した斜視図である。図５は、キャリッジカバー１２が閉じていない状態を図示したものであり、図６は、キャリッジカバー１２が閉じている状態を図示したものである。
【００３２】
キャリッジカバー１２が閉じていない状態では、段差部１２４により形成される空間に外装３０の係止凸部２１が入り込むことができない。そのため、キャリッジカバー１２が閉じていない状態では、例えば、ホームポジション、メンテナンスポジション、フラッシングポジション等の所定位置（例えば、キャリッジ１０の可動範囲の右端位置）へ向けてキャリッジ１０が復路方向ＸＲへ移動する途中で、外装３０の係止凸部２１にキャリッジカバー１２の側端面が突き当たることになる（図５）。つまり、外装３０の係止凸部２１によって、キャリッジ１０の主走査方向Ｘへの往復動範囲が制限されることになる。したがってインクジェットプリンター５０は、キャリッジ１０の往復動を正常に行うことができない状態になる。それによって、ユーザー又はインクジェットプリンター５０の制御装置は、キャリッジカバー１２が閉じていない状態であること、すなわちインクカートリッジ１４が不完全装着状態にある可能性があることを認識することができる。
【００３３】
他方、キャリッジカバー１２が閉じた状態では、段差部１２４により形成される空間に外装３０の係止凸部２１が入り込むことが可能になる。そのため、キャリッジカバー１２が閉じた状態では、所定位置へ向けてキャリッジ１０が復路方向ＸＲへ移動する途中で、外装３０の係止凸部２１にキャリッジカバー１２の側端面が突き当たらない（図６）。つまり、外装３０の係止凸部２１によってキャリッジ１０の主走査方向Ｘへの往復動範囲が制限されない。それによって、インクジェットプリンター５０はキャリッジ１０の往復動を正常に行うことが可能になる。また、キャリッジ１０を所定位置で停止させれば、段差部１２４により形成される空間に外装３０の係止凸部２１が入り込んだ状態が保持されることになる。それによって、キャリッジカバー１２の開方向Ｂへの回動が外装３０の係止凸部２１で係止されることになるので、ユーザーがキャリッジカバー１２を開くことができない状態にすることができる。
【００３４】
そして、本発明に係るインクジェットプリンター５０は、キャリッジカバー１２が閉じた状態で、キャリッジカバー１２の段差部１２４により形成される空間に外装３０の係止凸部２１が入り込むことが可能になる。このような構造を採用することによって、キャリッジカバー１２の表面１２３と外装３０との間に余分な空間がほとんど生じないようにすることができる。したがって、キャリッジカバー１２が閉じていない状態を検出可能なインクジェットプリンター５０を実現しつつ、それによってインクジェットプリンター５０が大型化してしまう虞を低減させることができる。
【００３５】
以上説明したように本発明によれば、キャリッジカバー１２が閉じていない状態を検出可能なインクジェットプリンター５０において、インクジェットプリンター５０が大型化する虞を低減させることができる。
【００３６】
また、キャリッジカバー１２の段差部１２４は、キャリッジカバー１２が閉じた状態で、インクカートリッジ１４が占有する空間よりも、回動するキャリッジカバー１２の自由端側に位置するように設けるのが好ましい。それによって、キャリッジ本体１１の内部空間のうちインクカートリッジ１４より外側の部分の空間を利用して段差部１２４を設けることができる。すなわち、キャリッジ本体１１の内部空間の空きスペースを有効に利用して段差部１２４を設けることができる。それによって、より大きい段差をもって段差部１２４を設けることが可能になる。したがって、キャリッジカバー１２が閉じていない状態を検出可能なインクジェットプリンター５０において、インクジェットプリンター５０が大型化する虞をより低減させることが可能になる。
【００３７】
さらに、キャリッジカバー１２の段差部１２４は、キャリッジカバー１２が閉じた状態で、インクカートリッジ１４のキャリッジカバー１２の自由端側の端部より低い位置に底面が位置するように設けるのが好ましい。それによって、キャリッジカバー１２の表面とインクジェットプリンター５０の外装３０との間に余分な空間が生ずる虞をさらに低減させることができる。したがって、キャリッジカバー１２が閉じていない状態を検出可能なインクジェットプリンター５０において、インクジェットプリンター５０が大型化する虞をさらに低減させることが可能になる。
【００３８】
さらに、キャリッジカバー１２の段差部１２４は、その段差部１２４により形成される空間に外装３０の係止凸部２１が入り込んだ状態で、キャリッジカバー１２の閉じた状態における表面と外装３０の表面とが面一になるように設けるのが好ましい。それによって、キャリッジカバー１２の表面と外装３０の表面との間に段差がほとんど生じないので、インクジェットプリンター５０の内部に無駄な空きスペースが生ずる虞を低減させることができる。より具体的には、例えば、外装３０の上面部とその上に近接して設けられるスキャナユニット（図示せず）との間の隙間を最小限にすることができるので、外装３０の上面部とスキャナユニットの底面部との間に無駄な空きスペースが生ずる虞を低減させることができる。したがって、キャリッジカバー１２が閉じていない状態を検出可能なインクジェットプリンター５０において、インクジェットプリンター５０が大型化する虞をさらに低減させることが可能になる。
【００３９】
＜変形例＞
本発明は、上記説明した実施例に限定されることなく、特許請求の範囲に記載した発明の範囲内で種々の変形が可能であり、それらも本発明の範囲内に含まれるものであることは言うまでもない。
【００４０】
例えば、上記実施例のインクジェットプリンター５０は、キャリッジ１０の可動範囲の右端位置にキャリッジ１０が移動するときに、閉じていない状態のキャリッジカバー１２が外装３０の係止凸部２１に突き当たるように構成されているが、本発明は当該態様に特に限定されるものではない。例えば、キャリッジ１０の可動範囲の左端位置にキャリッジ１０が移動するときに、閉じていない状態のキャリッジカバー１２が外装３０の係止凸部２１に突き当たるように構成しても良い。あるいは、キャリッジ１０の可動範囲の略中央に外装３０の係止凸部２１を設けても良い。この場合の段差部１２４は、キャリッジカバー１２が閉じている状態では、主走査方向Ｘの双方向に係止凸部２１の下側をキャリッジカバー１２の段差部１２４が通過でき、キャリッジカバー１２が閉じていない状態では、外装３０の係止凸部２１にキャリッジカバー１２の側端面が突き当たるように設ければ良い。
【００４１】
また、上記実施例のインクジェットプリンター５０は、キャリッジ１０の上部にキャリッジカバー１２が上下方向へ回動開閉可能に設けられているが、本発明は当該態様に特に限定されるものではない。例えば、キャリッジ１０の前面側にキャリッジカバー１２が前後方向へ回動開閉可能に設けられたインクジェットプリンター５０においても本発明は実施可能である。
【符号の説明】
【００４２】
１０  キャリッジ、３０  インクジェットプリンターの外装（筐体）、２１  係止凸部、５０  インクジェットプリンター、５１  搬送駆動ローラー、５２  搬送従動ローラー、５３  プラテン、１１  キャリッジ本体、１２  キャリッジカバー、１３  記録ヘッド、１４  インクカートリッジ、１２３  キャリッジカバーの表面、１２４  段差部、Ｘ  主走査方向、Ｙ  副走査方向
【先行技術文献】
【特許文献】
【００４３】
【特許文献１】特開２００５−７４９７９号公報
【図１】
2010241012.tif 000003
【図２】
2010241012.tif 000004
【図３】
2010241012.tif 000005
【図４】
2010241012.tif 000006
【図５】
2010241012.tif 000007
【図６】
2010241012.tif 000008